(57)【要約】【課題】電力供給によって駆動される要素を含む輸液装置を複数含むシステムにおいて各輸液装置の使用状態をより正確に把握するための技術を提供すること。【解決手段】管理システム１０００は、管理装置８と複数の輸液ポンプ１とを含む。管理装置８は、各輸液ポンプ１のログにおいてイベントが記録された時刻を用いて各輸液ポンプ１の稼働時間を特定し、特定された稼働時間に基づいて２以上の輸液ポンプ１を管理するための情報（画面８１０等）を出力する。【選択図】図２
2018128824.tif 000002
【特許請求の範囲】
【請求項１】
２以上の輸液装置と、
当該２以上の輸液装置を管理するための管理装置とを備え、
各前記輸液装置は、
輸液動作のために駆動されるように構成された駆動部と、
前記輸液装置のログを記録するように構成された記憶部とを含み、
前記ログは、前記駆動部が駆動されていることを示す第１の種類のイベントと前記駆動部が駆動されていないことを示す第２の種類のイベントとを含み、
前記管理装置は、
各前記輸液装置の前記第１および第２の種類のイベントが記録された時刻を用いて各前記輸液装置の前記駆動部の駆動時間を特定し、特定された前記駆動時間に基づいて前記２以上の輸液装置を管理するための情報を出力するように構成されている管理部を含む、輸液装置の管理システム。
【請求項２】
前記出力される情報は、各前記輸液装置の前記駆動部の駆動時間を含む、請求項１に記載の輸液装置の管理システム。
【請求項３】
前記出力される情報は、前記駆動部の駆動時間に従った前記２以上の輸液装置のグループ分けを示す情報を含む、請求項１または請求項２に記載の輸液装置の管理システム。
【請求項４】
前記出力される情報は、前記２以上の輸液装置における各前記輸液装置についての使用を推奨する順序を含み、
前記使用を推奨する順序は、前記駆動部の駆動時間が短い順序に従う、請求項１〜請求項３のいずれか１項に記載の輸液装置の管理システム。
【請求項５】
前記出力される情報は、前記第１および第２の種類のイベントが記録された時刻を用いて特定された駆動時間と、各前記輸液装置において発生した警報を示す情報とを含む、請求項１〜請求項４のいずれか１項に記載の輸液装置の管理システム。
【請求項６】
前記管理部は、前記第１および第２の種類のイベントが記録された時刻を用いて特定された駆動時間を各前記輸液装置において発生した警報の数に従った時間を加えることによって更新するように構成されている、請求項５に記載の輸液装置の管理システム。
【請求項７】
前記管理部は、前記２以上の輸液装置のうち前記警報の発生の累積回数および頻度が予め定められた基準を超えた輸液装置を選択し、前記２以上の輸液装置のうち残りの輸液装置を前記駆動部の駆動時間に従ってグループ分けし、
前記出力される情報は、輸液装置の前記選択の結果および前記グループ分けの結果を含む、請求項５に記載の輸液装置の管理システム。
【請求項８】
２以上の輸液装置を管理するための管理装置であって、
各前記輸液装置は、
輸液動作のために駆動されるように構成された駆動部を含み、
当該輸液装置のログを記録するように構成されており、
前記ログは、前記駆動部が駆動されていることを示す第１の種類のイベントと、前記駆動部が駆動されていないことを示す第２の種類のイベントとを含み、
前記管理装置は、
各前記輸液装置の前記ログを取得するように構成された取得部と、
前記第１の種類のイベントが記録された時刻と前記第２の種類のイベントが記録された時刻とに基づいて各前記輸液装置の前記駆動部の駆動時間を特定し、特定された前記駆動時間に基づいて前記２以上の輸液装置を管理するための情報を出力するように構成されている管理部とを含む、輸液装置の管理装置。
【請求項９】
２以上の輸液装置を管理するためのコンピュータによって実行されるプログラムであって、
各前記輸液装置は、
輸液動作のために駆動されるように構成された駆動部を含み、
当該輸液装置のログを記録するように構成されており、
前記ログは、前記駆動部が駆動されていることを示す第１の種類のイベントと、前記駆動部が駆動されていないことを示す第２の種類のイベントとを含み、
前記プログラムは、前記コンピュータに、
各前記輸液装置の前記ログを取得するステップと、
前記第１の種類のイベントが記録された時刻と前記第２の種類のイベントが記録された時刻とに基づいて各前記輸液装置の前記駆動部の駆動時間を特定するステップと、
特定された前記駆動時間に基づいて前記２以上の輸液装置を管理するための情報を出力するステップとを実行させる、プログラム。
【発明の詳細な説明】
【技術分野】
【０００１】
本開示は、輸液装置の管理に関し、特に、電力供給によって駆動される要素を含む輸液装置の管理に関する。
【背景技術】
【０００２】
従来、輸液装置等の機器の管理について、種々の技術が提案されている。たとえば特開２０１３−６９０６７号公報（特許文献１）は、医療機器の稼働監視システムを開示する。当該システムは、各医療機器の電源がＯＮされてからＯＦＦされるまでの時間を計測することにより各医療機器の稼働状況を特定する（段落［００４３］等）。
【先行技術文献】
【特許文献】
【０００３】
【特許文献１】特開２０１３−６９０６７号公報
【発明の概要】
【発明が解決しようとする課題】
【０００４】
複数の輸液装置を含むシステムにおいて各輸液装置の稼働状況が把握されれば、各輸液装置が均等に使用される等の効果が期待される。これにより、一部の輸液装置が過度の利用により使用中に故障するという事態の発生の可能性が低減され得る。
【０００５】
また、輸液装置のメンテナンスは、前回のメンテナンスから一定期間が経過する、など、個々の装置における事情というよりは、システム全体に対して課される条件に従って、行なわれることが多い。輸液装置における一部の部品（例えば、バッテリー、防滴パッキン、等）は、メンテナンス毎に交換されることが推奨されている。上記のようなシステムにおいて装置間に使用頻度の差異があると、メンテナンス時に、使用頻度の低い装置の上記部品が消耗が少ないにもかかわらず交換され、無駄が生じる。換言すれば、各輸液装置が均等に使用されれば、メンテナンス時に一部の輸液装置において消耗の少ない部品が交換されるという無駄が回避され得る。
【０００６】
少なくとも上記の観点から、医療現場では、各機器の稼働状況を正確に把握することも望まれている。
【０００７】
本開示は、かかる実情に鑑み考え出されたものであり、その目的は、特に、電力供給によって駆動される要素を含む輸液装置を複数含むシステムにおいて各輸液装置の使用状態をより正確に把握するための技術を提供することである。
【課題を解決するための手段】
【０００８】
本開示のある局面に従うと、２以上の輸液装置と、当該２以上の輸液装置を管理するための管理装置とを備える、輸液装置の管理システムが提供される。各輸液装置は、輸液動作のために駆動されるように構成された駆動部と、輸液装置のログを記録するように構成された記憶部とを含む。ログは、駆動部が駆動されていることを示す第１の種類のイベントと駆動部が駆動されていないことを示す第２の種類のイベントとを含む。管理装置は、各輸液装置の第１および第２の種類のイベントが記録された時刻を用いて各輸液装置の駆動部の駆動時間を特定し、特定された駆動時間に基づいて２以上の輸液装置を管理するための情報を出力するように構成されている管理部を含む。
【０００９】
出力される情報は、各輸液装置の駆動部の駆動時間を含んでもよい。
出力される情報は、駆動部の駆動時間に従った２以上の輸液装置のグループ分けを示す情報を含んでもよい。
【００１０】
出力される情報は、２以上の輸液装置における各輸液装置についての使用を推奨する順序を含んでもよい。使用を推奨する順序は、駆動部の駆動時間が短い順序に従ってもよい。
【００１１】
出力される情報は、第１および第２の種類のイベントが記録された時刻を用いて特定された駆動時間と、各輸液装置において発生した警報を示す情報とを含んでもよい。
【００１２】
管理部は、第１および第２の種類のイベントが記録された時刻を用いて特定された駆動時間を各輸液装置において発生した警報の数に従った時間を加えることによって更新するように構成されていてもよい。
【００１３】
管理部は、２以上の輸液装置のうち警報の発生の累積回数および頻度が予め定められた基準を超えた輸液装置を選択し、２以上の輸液装置のうち残りの輸液装置を駆動部の駆動時間に従ってグループ分けしてもよい。出力される情報は、輸液装置の選択の結果およびグループ分けの結果を含んでもよい。
【００１４】
本開示の他の局面に従うと、２以上の輸液装置を管理するための管理装置が提供される。各輸液装置は、輸液動作のために駆動されるように構成された駆動部を含み、当該輸液装置のログを記録するように構成されている。ログは、駆動部が駆動されていることを示す第１の種類のイベントと、駆動部が駆動されていないことを示す第２の種類のイベントとを含む。管理装置は、各輸液装置のログを取得するように構成された取得部と、第１の種類のイベントが記録された時刻と第２の種類のイベントが記録された時刻とに基づいて各輸液装置の駆動部の駆動時間を特定し、特定された駆動時間に基づいて２以上の輸液装置を管理するための情報を出力するように構成されている管理部とを含む。
【００１５】
本開示のさらに他の局面に従うと、２以上の輸液装置を管理するためのコンピュータによって実行されるプログラムが提供される。各輸液装置は、輸液動作のために駆動されるように構成された駆動部を含み、当該輸液装置のログを記録するように構成されている。ログは、駆動部が駆動されていることを示す第１の種類のイベントと、駆動部が駆動されていないことを示す第２の種類のイベントとを含む。プログラムは、コンピュータに、各輸液装置のログを取得するステップと、第１の種類のイベントが記録された時刻と第２の種類のイベントが記録された時刻とに基づいて各輸液装置の駆動部の駆動時間を特定するステップと、特定された駆動時間に基づいて２以上の輸液装置を管理するための情報を出力するステップとを実行させる。
【発明の効果】
【００１６】
本開示によれば、各輸液装置は、輸液動作のために駆動される駆動部を含み、管理装置は、輸液装置の駆動部の駆動についてのログを用いて各輸液装置の稼働時間を特定する。駆動部の駆動についてのログを用いて特定される稼働時間は、単に輸液装置に電力が供給された時間によって特定される稼働時間よりも、輸液装置の駆動部の使用状態（劣化状態）を正確に反映する。したがって、本開示の管理装置は、輸液装置の駆動部の使用状態をより正確に把握するための情報を提供することができる。
【図面の簡単な説明】
【００１７】
【図１】輸液ポンプの管理システムの構成を概略的に示す図である。
【図２】管理装置が出力する画面の一例を示す図である。
【図３】管理装置のハードウェアブロックの一例を示す図である。
【図４】輸液ポンプの斜視図である。
【図５】輸液ポンプの正面図である。
【図６】輸液ポンプの扉を開かれた状態を示す図である。
【図７】輸液ポンプのハードウェアブロック図である。
【図８】輸液ポンプ内の警報の具体例を説明するための図である。
【図９】輸液ポンプの動作のログの具体例を示す図である。
【図１０】管理装置のプロセッサが各輸液ポンプの稼働時間（図２）を表示するために実行する処理のフローチャートである。
【図１１】各輸液ポンプについて取得された稼働時間の一例を示す図である。
【図１２】管理装置のプロセッサが、管理システム内の輸液ポンプを稼働時間に従ったグループに分けて表示するために実行する処理のフローチャートである。
【図１３】グループ分けの一例を説明するための図である。
【図１４】管理装置の表示部における表示画面の一例を示す図である。
【図１５】管理装置のプロセッサが、管理システム内の輸液ポンプにおいて推奨される使用順序を表示するために実行する処理のフローチャートである。
【図１６】表示画面の一例を示す図である。
【図１７】管理装置のプロセッサが、各輸液ポンプを各輸液ポンプの電動モータの駆動時間に従った順序で表示するための処理の変形例のフローチャートである。
【図１８】管理装置のプロセッサが、２つ以上の輸液ポンプから多くの警報が検出されている輸液ポンプを抽出して１つのグループにおいて表示し、残りの輸液ポンプを稼働時間に従って分類されたグループにおいて表示するために、実行する処理のフローチャートである。
【図１９】グループ分けの表示の一例を示す図である。
【図２０】輸液ポンプのグループ分けの表示の他の例を示す図である。
【発明を実施するための形態】
【００１８】
以下、図面を参照しつつ、本開示の実施の形態について説明する。以下の説明では、同一の部品には同一の符号を付してある。それらの名称および機能も同じである。したがって、それらについての詳細な説明は繰り返さない。
【００１９】
［１．輸液ポンプの管理システムの概略構成］
図１は、輸液ポンプの管理システムの構成を概略的に示す図である。図１を参照して、管理システムの構成を説明する。
【００２０】
管理システム１０００は、１台の管理装置８と、２台以上の輸液ポンプ１とを含む。管理装置８は、たとえば汎用のコンピュータによって実現される。輸液ポンプ１は、輸液装置の一例であり、たとえば医療用の薬液を体内に注入する場合等に用いられる。なお、輸液ポンプ１の用途はこれに限定されない。
【００２１】
図１の管理システム１０００において、管理装置８は、各輸液ポンプ１とネットワーク９を介して通信する。当該通信は、無線であってもよいし有線であってもよい。管理装置８は、ネットワークを介することなく各輸液ポンプ１と通信してもよい。
【００２２】
各輸液ポンプ１は、当該輸液ポンプ１の動作のログを記録する。ログは、輸液動作のために駆動される要素（たとえば、ポンプ）について、当該要素が駆動されていることを表わすイベントと、当該要素の駆動が停止されていることを表わすイベントとを含む。管理装置８は、各輸液ポンプ１のログを用いて各輸液ポンプ１の駆動時間を特定し、当該駆動時間を各輸液ポンプ１の稼働時間として取得し、当該稼働時間を用いて各輸液ポンプ１を管理するための情報を生成し、当該情報を出力する。
【００２３】
図２は、管理装置８が出力する画面の一例を示す図である。出力される情報の一例は、各輸液ポンプ１の稼働時間である。図２に示された画面８１０は、各輸液ポンプ１の装置番号と稼働時間とを含む。たとえば、画面８１０において、装置番号「00012345」として特定される輸液ポンプ１の稼働時間は「25時間12分」である。装置番号は、個々の輸液ポンプ１を特定する情報である。本実施の形態では、装置番号の一例として「00012345」等の８桁の数字が採用される。
【００２４】
２以上の輸液ポンプ１の管理者は、管理装置８によって提示された各輸液ポンプ１の稼働時間を視認することにより、次に使用する輸液ポンプ１を決定する。これにより、２以上の輸液ポンプ１の中で一部の輸液ポンプ１が集中的に利用されることによって突出して劣化する、という事態が回避され得る。
【００２５】
［２．管理装置の構成］
図３は、管理装置８のハードウェアブロックの一例を示す図である。図３を参照して、管理装置８の構成を説明する。
【００２６】
管理装置８は、プロセッサ８１と、操作部８２と、表示部８３と、メモリ８４と、通信インターフェース８５とを含む。プロセッサ８１は、メモリ８４等に格納されたプログラムを実行することにより演算処理を実行する。プロセッサ８１は、管理装置８における管理部の一例である。
【００２７】
操作部８２は、たとえばキーボードや操作ボタンによって実現され、外部からの入力操作を受付ける。
【００２８】
表示部８３は、たとえば液晶表示装置によって実現され、図２の画面８１０等の情報を表示する。
【００２９】
メモリ８４は、半導体メモリ等の不揮発性メモリを含み、プロセッサ８１によって実行されるプログラムおよび／またはプログラムの実行に利用されるデータを格納する。格納されるデータの一例は、各輸液ポンプ１の動作のログである。図３では、メモリ８４において当該ログが格納される部分がポンプ情報格納部８４Ａとして示されている。
【００３０】
なお、プロセッサ８１は、管理装置８外の記憶装置に格納されたプログラム、または、管理装置８に対して着脱可能な記録媒体に格納されたプログラムを実行するように構成されていてもよい。また、プロセッサ８１は、管理装置８外の記憶装置に格納されたデータ、または、管理装置８に対して着脱可能な記録媒体に格納されたデータを利用してプログラムを実行してもよい。
【００３１】
通信インターフェース８５は、たとえば無線ＬＡＮ（Local  Area  Network）カードによって実現され、輸液ポンプ１との通信のインターフェースとして機能する。輸液ポンプ１との通信は、有線であってもよい。また、輸液ポンプ１との通信はネットワークを介することなく実現されてもよい。この場合、通信インターフェース８５は、ＵＳＢ（Universal  Serial  Bus）コネクタ等のコネクタによって実現される場合もあり得る。
【００３２】
通信インターフェース８５は、輸液ポンプ１のログを取得するように構成された取得部の一例である。なお、取得部は、輸液ポンプ１のログを、当該輸液ポンプ１から直接取得してもよいし、管理サーバ等の輸液ポンプ１以外の装置から取得してもよい。
【００３３】
［３．輸液ポンプの構成］
図４は、輸液ポンプ１の斜視図である。図５は、輸液ポンプ１の正面図である。図６は、輸液ポンプ１の扉を開かれた状態を示す図である。図７は、輸液ポンプ１のハードウェアブロック図である。図４〜図７を参照して、輸液ポンプ１の構成について説明する。
【００３４】
輸液ポンプ１は、たとえばペリスタルティックフィンガ式の輸液ポンプである。輸液ポンプ１は、ポンプ本体１１と、このポンプ本体１１の前面側（チューブ装着部）を閉鎖する扉１２とを備えている。扉１２は、ヒンジ１３，１３を介してポンプ本体１１に揺動自在（回転自在）に支持されており、ポンプ本体１１の前面側を完全に閉鎖する位置から完全開放位置（例えば、１８０°開く位置）までの間において揺動可能となっている。
【００３５】
ポンプ本体１１の前面壁１１０には、チューブ装着ガイド（ガイド溝）１１１が設けられている。チューブ装着ガイド１１１は、輸液送り方向の上流側から順に、上流側ガイド部１１１ａ、上流側ガイド部１１１ａから矩形状に拡大したポンプフィンガ部１１１ｂ、および、下流側ガイド部１１１ｃを備えている。ポンプフィンガ部１１１ｂには、ポンプ機構２の複数のフィンガ２１の先端部が臨んでいる。
【００３６】
ポンプ本体１１の前面壁１１０には、さらに、衝撃センサ７５が設けられている。衝撃センサ７５は、たとえば加速度センサによって実現され、ポンプ本体１１に加えられた衝撃の大きさを検出する。
【００３７】
上流側ガイド部１１１ａは、横方向に湾曲した形状（曲り形状）に形成されており、その先端部が輸液チューブ入口１ａとなっている。
【００３８】
下流側ガイド部１１１ｃは、ポンプフィンガ部１１１ｂの下流側に設けられており、上下方向に直線状に延びる形状に形成されている。この下流側ガイド部１１１ｃの下端部が輸液チューブ出口１ｂとなっている。輸液チューブ出口１ｂに、輸液セットが装着される。
【００３９】
上流側ガイド部１１１ａの溝幅及び下流側ガイド部１１１ｃの溝幅は、それぞれ、薬液バッグに接続される輸液チューブ（例えば、ポリ塩化ビニルやポリブタジエン製）Ｔの外径（直径）に対応する大きさとなっている。上流側ガイド部１１１ａ及び下流側ガイド部１１１ｃに輸液チューブＴを嵌め込むことによって、輸液ポンプ１に輸液チューブＴが装着される。なお、下流側ガイド部１１１ｃには、ポンプ本体１１に装着された輸液チューブＴ内に混入した気泡を検出する気泡センサ（例えば、超音波センサ）７１が配置されている。輸液ポンプ１では、輸液セットに、当該輸液セットにおいて滴下するドロップを検出する滴下センサ（たとえば、光学センサであって、図７の「滴下センサ７４」）が装着され得る。
【００４０】
扉１２とポンプ本体１１は、扉１２を閉めたときに閉鎖状態を保持するための、扉ロック機構１４を備える。扉ロック機構１４は、扉１２側に配置されたドアロックレバー１４ａとポンプ本体１１側に配置されたフック１４ｂの要素とを含み、扉１２が閉鎖された状態でドアロックレバー１４ａを回動操作してフック１４ｂに引っ掛けることによって、扉１２が閉鎖状態にロックされ得る。
【００４１】
扉１２の内面側には、押圧板２３と、輸液チューブＴの下流側の閉鎖を検知する閉塞センサ７２とが設けられている。押圧板２３は、扉１２を閉鎖した状態でポンプ機構２のフィンガ２１（最後退位置のフィンガ２１）の先端に対して所定の間隔（輸液チューブＴの外径（直径）に相当する間隔）をあけて対向するように構成されている。
【００４２】
扉１２の前面には、各種情報を表示する液晶表示部３の液晶パネル３１と、操作部４とが配置されている。さらに、扉１２の上部中央には、当該輸液ポンプ１の動作状態を知らせるインジケータ５が配置されている。
【００４３】
扉１２の内面側には、さらに、ドアセンサ７３が設けられている。ドアセンサ７３は、扉１２とポンプ本体１１との閉鎖状態が維持されているか否かを検出する。
【００４４】
次に、輸液ポンプ１におけるポンプ機構（輸液機構）について説明する。ポンプ機構２は、一方向（上記ポンプ本体１１のポンプフィンガ部１１１ｂに装着した輸液チューブＴに沿う方向（上下方向））に沿って配列された複数のフィンガ２１、各フィンガ２１をそれぞれ個別に進退駆動（輸液チューブＴに対して前進・後退）するための偏心カム及びカム軸（いずれも図示せず）、このカム軸に回転力を与える電動モータ２２（図７参照）、及び、上記した押圧板２３などによって構成されている。
【００４５】
ポンプ機構２において、電動モータ２２を駆動すると、当該電動モータ２２の駆動によりカム軸が回転して各フィンガ２１が上流側（輸液送り方向の上流側）から下流側にかけて順次前進・後退する。このような各フィンガ２１の進退移動（往復移動）によって、これらフィンガ２１の先端部と押圧板２３との間に配置された輸液チューブＴに蠕動運動が付与され、当該輸液チューブＴ内の輸液が上流側から下流側へと送り出されていく。
【００４６】
なお、ポンプ機構２の具体的な構成等については、例えば、特開２０１３−００６０２１号公報、特開２０１２−２４９６５１号公報、特開２０１２−２４５１１１号公報などが参照され得る。
【００４７】
次に、液晶表示部３および操作部４について説明する。液晶表示部３は、液晶パネル（バックライト付）３１及びその駆動ドライバ（図示せず）などによって構成されており、その液晶パネル３１が扉１２の前面に配置されている。液晶パネル３１の画面上には、積算量［ｍＬ］、輸液の予定量［ｍＬ］、流量［ｍＬ／ｈ］などの動作情報、警報情報（メッセージ等）、及び、ユーザが各種設定を行うためのユーザ設定画面などが表示される。
【００４８】
操作部４は、図５に示すように、開始スイッチ４１、停止スイッチ４２、輸液準備の際に使用する早送りスイッチ４３、表示切替スイッチ４４、数値設定アップスイッチ４５、数値設定ダウンスイッチ４６、積算量リセットスイッチ４７、及び、点滴針サイズ選択スイッチ４８などを備えている。
【００４９】
表示切替スイッチ４４は、数値等を入力する項目（例えば、流量、予定量、予定時間など）への表示の切り替えを行うためのスイッチである。
【００５０】
数値設定アップスイッチ４５、数値設定ダウンスイッチ４６は、流量、予定量、予定時間などの数値を増加または減少させるスイッチであって、それぞれ、右側の１桁目の数値設定用スイッチ、中央の２桁目の数値設定用スイッチ、及び、左側の３桁目の数値設定用スイッチの合計３つのスイッチで構成されている。
【００５１】
表示切替スイッチ４４、数値設定アップスイッチ４５、数値設定ダウンスイッチ４６、上記開始スイッチ４１及び停止スイッチ４２は、後述する夜間モード設定などのユーザ設定を行う際の設定スイッチとしても使用される。
【００５２】
次に、制御部２００について説明する。制御部２００は、マイクロコンピュータ等を主体として構成されており、ＣＰＵ(Central  Processing  Unit)、ＲＯＭ(Read  Only  Memory)、ＲＡＭ(Random  Access  Memory)、Ｉ／Ｏ（Input  Output）インターフェース、不揮発性ＲＡＭ２０１、タイマ２０２（図７参照）、及び、これらの機能部を互いに接続するバスラインなど備えている。
【００５３】
制御部２００のＣＰＵは、輸液ポンプ１の動作のログを生成し、不揮発性ＲＡＭ２０１に格納する。
【００５４】
タイマ２０２は現在の年・月・日・時刻を計時して出力する。制御部２００は、タイマ２０２の出力に基づいて現在の年・月・日・時刻を認識することができる。なお、タイマ２０２は、電池等のバックアップ電源により電源が供給されており、輸液ポンプ１が電源断（電源ＯＦＦ）になっても上記計時を維持する。
【００５５】
図７に示すように、操作部４、電源スイッチ７（例えばポンプ本体１１の裏面に配置）、気泡センサ７１、閉塞センサ７２、ドアセンサ７３、滴下センサ７４、および、衝撃センサ７５は、制御部２００に接続されており、スイッチ類やセンサからの信号を制御部２００に入力する。制御部２００は、液晶表示部３、インジケータ５、音発生部６、及び、上記ポンプ機構２の駆動用の電動モータ２２などに接続されており、これらの動作を制御する。
【００５６】
輸液ポンプ１は、さらに、通信インターフェース２０３を備える。通信インターフェース２０３は、たとえばネットワークカードによって実現される。制御部２００は、通信インターフェース２０３を用いてネットワーク９に接続し、ネットワーク９を介して管理装置８と通信する。なお、制御部２００は、ネットワークを介することなく、管理装置８と直接通信してもよい。
【００５７】
輸液ポンプ１は、さらに、バッテリー７６を備える。バッテリー７６は、輸液ポンプ１の各部に電力を供給する。ある実施の形態では、輸液ポンプ１は、ＡＣ（Alternative  Current）電源コードによって商用電源に接続され、バッテリー７６は商用電源によって充電される。
【００５８】
インジケータ５は、緑色と赤色を発光するＬＥＤランプ（もしくはＥＬランプ）及びその駆動回路などを有する。また、音発生部６はブザー及びその駆動回路などを有する。
【００５９】
制御部２００は、操作部４のスイッチ類の操作にて設定された輸液の流量の設定値に応じて、ポンプ機構２の電動モータ２２の回転数を制御することにより輸液流量を可変に調整する。この例では、輸液流量を、たとえば、１ｍＬ／ｈ〜１２００ｍＬ／ｈの範囲内において、［１ｍＬ／ｈ］単位で、設定することができる。
【００６０】
制御部２００は、液晶表示部３、インジケータ５、及び、音発生部６に対して以下のような制御・処理を行う。
【００６１】
＜液晶表示部の制御＞
（ａ１）液晶表示部３の液晶パネル３１の画面上に動作情報（図５参照）を表示する処理。
【００６２】
（ａ２）気泡センサ７１と閉塞センサ７２の各出力信号に基づいて気泡異常や、輸液装置より下流側におけるチューブ閉塞などによる閉塞不良が発生している否かを判定し、異常が発生している場合は、その旨を示すメッセージを液晶パネル３１の画面上に表示する処理、及び、その他の各種の警報（メッセージ）を液晶パネル３１の画面上に表示する処理。
【００６３】
（ａ３）液晶パネル３１の表示画面の輝度（バックライト光量）を調整する制御。この例では、ユーザ設定等に応じて、表示画面の輝度を０（暗い）〜５（明るい）の６段階で調整することができる。
【００６４】
［４．輸液ポンプ内で検出される警報］
図８は、制御部２００が検出する輸液ポンプ１内の警報の具体例を説明するための図である。図８に示されるように、輸液ポンプ１内で検出される警報は、重要度Ａ〜Ｃに分類され得る。
【００６５】
重要度Ａの警報は、衝撃警報、および、システム異常警報を含む。衝撃警報は、衝撃センサ７５が予め定められた閾値以上の衝撃が輸液ポンプ１に加えられたことを示す。システム異常警報は、プログラム異常等により制御部２００のＣＰＵの動作に異常が生じたことを示す。
【００６６】
重要度Ａの警報は、輸液ポンプ１の使用を中止して点検の実施を必要とする。ある実施の形態において、制御部２００は、重要度Ａの警報を検出すると、実行中の動作を停止し、液晶表示部３に警報の発生を表示し、警報音を出力する。当該警報は、たとえば、輸液ポンプ１に対して、ユーザが輸液ポンプ１を点検したことを示す操作をすることによって解除される。制御部２００は、警報の要因の解消を検出しても、輸液ポンプ１が点検されたことを示す操作がなされるまでは、輸液動作を実行しない。
【００６７】
これにより、制御部２００は、衝撃警報およびシステム異常警報の少なくとも一方を検出すると、輸液ポンプ１の点検がなされるまで輸液動作を実行しない。
【００６８】
重要度Ｂの警報は、バッテリー異常警報、気泡警報、閉塞警報、ドアオープン警報、流量異常警報、空液警報、輸液セット間違い警報、および、バッテリー残量低下警報を含む。
【００６９】
バッテリー異常警報は、たとえば、バッテリー７６が未装着、または、バッテリー７６と制御部２００とを結ぶ配線が断線状態であることを示す。
【００７０】
気泡警報は、たとえば、気泡センサ７１が予め定められた量以上の気泡を検出したことを示す。
【００７１】
閉塞警報は、たとえば、閉塞センサ７２が輸液チューブＴの閉鎖を検知したことを示す。
【００７２】
ドアオープン警報は、たとえば、ドアセンサ７３が、扉１２がポンプ本体１１を閉鎖していないことを示す。
【００７３】
流量異常警報は、たとえば、滴下センサ７４によって検出されたドロップの数によって規定される流量（累積流量）と、操作部４において設定された流速と輸液開始からの経過時間とによって規定される流量（予定累積流量）との差が予め定められた量以上であることを示す。
【００７４】
空液警報は、たとえば、薬液がなくなったことを示す。一例では、滴下センサ７４が検出したドロップ数によって規定された流量が操作部４において設定された予定の輸液量に到達する前に、滴下センサ７４がドロップを検出しなくなった場合に、空液警報が検出される。
【００７５】
輸液セット間違い警報は、たとえば、操作部４において設定された輸液セットと異なる輸液セットが輸液ポンプ１に装着されていることを示す。一例では、操作部４において設定された流速を実現するための動力で電動モータ２２を駆動しているにも拘わらず、滴下センサ７４がドロップを検出する時間間隔と当該流速に対応する時間間隔との間に予め定められた値以上の差が生じた場合に、輸液セット間違い警報が検出される。
【００７６】
バッテリー残量低下警報は、輸液ポンプ１が商用電源に接続されていないときにバッテリー７６の残量が第１の量（たとえば、電動モータ２２を３分間駆動できる量）を下回ったことを示す。
【００７７】
重要度Ｂの警報は、当該警報の要因が取り除かれれば、輸液ポンプ１の使用の継続を許容する。ある実施の形態において、制御部２００は、重要度Ｂの警報を検出すると、液晶表示部３に警報の発生を表示し、警報音を出力する。制御部２００は、警報の要因の解消を検出することにより、輸液動作を実行可能な状態になる。
【００７８】
たとえば、輸液ポンプ１の輸液動作中にバッテリー残量低下警報が検出された場合、輸液ポンプ１が商用電源に接続されることにより、警報の要因が解消し、輸液ポンプ１は引き続き輸液動作を実行する。
【００７９】
重要度Ｃの警報は、操作忘れ警報、バッテリー交換警報、および、電源コード外れ警報を含む。
【００８０】
操作忘れ警報は、電動モータ２２が輸液動作を停止した状態で輸液ポンプ１が操作されずに一定時間経過したことを示す。このときの輸液ポンプ１の操作は、たとえば、操作部４に対する操作およびドアセンサ７３によって検出されるドアの開閉の少なくとも一方を含む。
【００８１】
バッテリー交換警報は、輸液ポンプ１が商用電源に接続されていないときにバッテリー７６の残量が第２の量（たとえば、電動モータ２２を３０分間駆動できる量）を下回ったことを示す。
【００８２】
電源コード外れ警報は、輸液ポンプ１が電源をＯＮされている状態（少なくとも制御部２００には電力が供給されている状態）であってバッテリー７６の残量が上記第２の量を下回っていることを示す。
【００８３】
重要度Ｃの警報は、当該警報の発生の報知のみを必要とする。ある実施の形態において、制御部２００は、重要度Ｃの警報を検出すると、実行中の動作を継続したまま、当該警報の発生を液晶表示部３における表示および／または警報音として報知する。
【００８４】
たとえば、電源コード外れ警報が検出された場合、輸液ポンプ１が商用電源に接続されれば当該警報は解除されるが、輸液ポンプ１が商用電源に接続されなくても輸液ポンプ１における実行中の動作は継続される。より具体的には、輸液のために電動モータ２２が駆動されている状態で電源コード外れ警報が検出された場合、輸液ポンプ１が商用電源に接続されなくても、警報の表示および／または警報音は継続されるが、輸液動作も継続される。
【００８５】
重要度Ａが最も重い警報であり、その次に重要度Ｂが重く、重要度Ｃの警報は、重要度Ａ〜Ｃのうち最も軽い。警報の表示および音の内容は、警報の重要度に応じて変更されてもよい。
【００８６】
［５．輸液ポンプの動作のログ］
図９は、輸液ポンプ１の動作のログの具体例を示す図である。ある実施の形態の管理システム１０００において、各輸液ポンプ１は、当該輸液ポンプ１の動作のログを不揮発性ＲＡＭ２０１に格納し、管理装置８は、管理システム１０００内の２以上の輸液ポンプ１の動作のログをメモリ８４に格納する。各輸液ポンプ１の動作のログは、図８を参照して説明されたような警報に対応するイベントを含み得る。図９を参照して、動作のログの具体例を説明する。
【００８７】
図９のログにおいて、各イベントは、日時と、装置番号と、動作状態と、流量と、警報状態とを含む。
【００８８】
図９の「日時」は、各イベントが生成された時刻を示す。制御部２００がイベントを生成するタイミングの一例は、輸液ポンプ１の電源がＯＮされたとき（制御部２００への電源投入が開始されたとき）である。他の例は、電動モータ２２の状態が変化したときである。さらに他の例は、輸液動作の完了が特定されたときである。さらに他の例は、前回のイベントの生成から一定時間が経過したときである。さらに他の例は、操作部４が操作されたときである。さらに他の例は、図８を参照して説明されたような警報が検出されたときである。
【００８９】
図９の「動作状態」は、電動モータ２２の状態を示す。図９の例では、状態は、「スタンバイ」「通常輸液」「完了」および「停止」を含む。「スタンバイ」は、電動モータ２２が駆動されていない状態を規定する。「通常輸液」は、電動モータ２２が操作部４に設定された輸液動作のために駆動されている状態を規定する。「完了」は、輸液動作の完了が特定された（すなわち、駆動されていない）状態を規定する。輸液動作の完了は、たとえば、滴下センサ７４が検出したドロップの数に対応する薬剤の量が操作部４において設定された輸液の量に達したことによって特定される。「停止」は、電動モータ２２の駆動が停止されている（すなわち、駆動されていない）状態を規定する。
【００９０】
本実施の形態において、「通常輸液」を含むイベントは、輸液ポンプの駆動部が駆動されていることを示す第１の種類のイベントの一例である。「完了」を含むイベントは、輸液ポンプの駆動部が駆動されていないことを示す第２の種類のイベントの一例である。
【００９１】
図９の「流量」は、輸液動作中に滴下センサ７４が検出したドロップ数に対応する薬液の流量である。
【００９２】
図９の「警報」は、制御部２００が検出した警報を示す。
図９に示されたログをより具体的に説明する。図９のログは、装置番号「00012345」として特定される輸液ポンプ１が、「２０１６年１２月６日の１３時０１分３２秒」に電源をＯＮされてスタンバイ状態になり、同日の「１３時０６分１２秒」に継続してスタンバイ状態にあったことを示す。
【００９３】
図９のログは、さらに、輸液ポンプ１が同日の「１３時０６分１２秒」に輸液動作が開始したことを示す。さらに、図９の例は、同日の「１３時１６分１２秒」に流量が１００（ｍＬ）に到達し、同日の「１３時２６分１２秒」に流量が１５０（ｍＬ）に到達し、同日の「１３時３６分１２秒」に流量が２００（ｍＬ）に到達し、同日の「１３時４６分１２秒」に流量が２５０（ｍＬ）に到達し、同日の「１３時５６分１２秒」に流量が３００（ｍＬ）に到達し、同日の「１４時０６分１２秒」に輸液の完了が特定され、同日の「１４時０８分３３秒」に操作部４が操作される等して輸液動作の停止のための操作がなされたことを示す。
【００９４】
図９のログは、さらに、輸液ポンプ１が、同日の「１４時１８分４６秒」「１４時２８分４６秒」および「１４時３８分４６秒」に、スタンバイ状態にあったことを示す。図９のログは、さらに、輸液ポンプ１において「バッテリー残量低下」の警報が検出されたことを示す。
【００９５】
［６．各輸液ポンプの稼働時間の表示：図２，図１０〜図１１］
図１０は、管理装置８のプロセッサ８１が各輸液ポンプ１の稼働時間（図２）を表示するために実行する処理のフローチャートである。図１０の処理は、たとえば、プロセッサ８１がメモリ８４に格納されるプログラムを実行することによって実現される。以下、図１０の処理について説明する。なお、本開示において、電動モータ２２は、輸液動作のために駆動されるように構成された駆動部の一例である。
【００９６】
図１０を参照して、ステップＳ１００で、プロセッサ８１は、輸液ポンプ１の稼働時間に関する情報提供の要求を受け付けたか否かを判断する。当該要求の一例は、操作部８２（図３）に対する所定のボタンの操作である。ユーザは、たとえば、管理システム１０００内の２以上の輸液ポンプ１の中から次に使う輸液ポンプ１を選択しようとするときに、上記所定のボタンを操作する。プロセッサ８１は、当該要求を受け付けたと判断するまでステップＳ１００で制御を留め（ステップＳ１００でＮＯ）、当該要求を受け付けたと判断すると（ステップＳ１００でＹＥＳ）、ステップＳ１１０へ制御を進める。
【００９７】
なお、プロセッサ８１は、予め定められた時刻が到来したこと等の他の条件の成立に応じて、ステップＳ１１０へ制御を移行させてもよい。
【００９８】
ステップＳ１１０で、プロセッサ８１は、管理システム１０００内の各輸液ポンプ１の動作のログを読み出す。
【００９９】
ステップＳ１２０で、プロセッサ８１は、各輸液ポンプ１の稼働時間を取得する。より具体的には、プロセッサ８１は、電動モータ２２の駆動時間を特定し、特定された駆動時間を稼働時間として取得する。
【０１００】
プロセッサ８１は、たとえば、ログにおいて、輸液を開始したことを示すイベント（図９の例では、「２０１６年１２月０６日１３時０６分１２秒」のイベント）の時刻から輸液動作の完了が特定されたことを示すイベント（図９の例では、「２０１６年１２月０６日１４時０６分１２秒」のイベント）の時刻までの時間を特定することによって電動モータ２２の駆動時間（輸液ポンプ１の稼働時間）を取得する。輸液動作が２回以上行なわれた場合、プロセッサ８１は、２回以上の輸液動作のそれぞれにおける電動モータ２２の駆動時間の累積値を特定することにより、ステップＳ１２０における「稼働時間」を取得する。
【０１０１】
図１１は、各輸液ポンプ１について取得された稼働時間の一例を示す図である。図１１に示されるように、プロセッサ８１は、各輸液ポンプ１の装置番号に関連付けて、稼働時間を取得する。
【０１０２】
ステップＳ１３０で、プロセッサ８１は、ステップＳ１２０で取得された稼働時間を表示部８３に表示する。図２の画面８１０は、ステップＳ１３０において表示される画面の一例である。
【０１０３】
［７．稼働時間によるグループ分けの表示：図１２〜図１４］
図１２は、プロセッサ８１が、管理システム１０００内の輸液ポンプ１を稼働時間に従ったグループに分けて表示するために実行する処理のフローチャートである。図１２の処理は、たとえば、プロセッサ８１がメモリ８４に格納されるプログラムを実行することによって実現される。以下、図１２の処理について説明する。
【０１０４】
図１０の処理と同様に、ステップＳ１００で情報提供の要求を受け付けると、プロセッサ８１は、ステップＳ１１０へ制御を進める。
【０１０５】
ステップＳ１１０で、プロセッサ８１は、各輸液ポンプ１の動作のログを読み出す。
ステップＳ１２０で、プロセッサ８１は、各輸液ポンプ１の稼働時間を取得する。その後、制御はステップＳ１２２へ進む。
【０１０６】
ステップＳ１２２で、プロセッサ８１は、ステップＳ１２０で取得した各輸液ポンプ１の稼働時間を用いて、管理システム１０００内の２以上の輸液ポンプ１を予め定められた数のグループに分ける。
【０１０７】
図１３は、グループ分けの一例を説明するための図である。図１３に示された例では、２以上の輸液ポンプ１は、３つのグループ、すなわち、グループＩ（稼働時間が１００時間未満）、グループＩＩ（稼働時間が１００時間以上２００時間未満）、および、グループＩＩＩ（稼働時間が２００時間以上）に分けられる。
【０１０８】
図１２に戻って、プロセッサ８１は、ステップＳ１３２で、ステップＳ１２２のグループ分けを表示部８３に表示する。
【０１０９】
図１４は、管理装置８の表示部８３における表示画面の一例を示す図である。図１４の画面８２０は、グループＩ，ＩＩ，ＩＩＩのグループごとに、各グループに属する輸液ポンプ１の装置番号を表示する。３つのグループに属する装置番号は、１つの画面に表示されてもよいし、グループごとに異なる画面に表示されてもよい。
【０１１０】
［８．推奨使用順序の表示：図１５，図１６］
図１５は、プロセッサ８１が、管理システム１０００内の輸液ポンプ１において推奨される使用順序を表示するために実行する処理のフローチャートである。図１５の処理は、たとえば、プロセッサ８１がメモリ８４に格納されるプログラムを実行することによって実現される。以下、図１５の処理について説明する。
【０１１１】
図１０の処理と同様に、ステップＳ１００で情報提供の要求を受け付けると、プロセッサ８１は、ステップＳ１１０へ制御を進める。
【０１１２】
ステップＳ１１０で、プロセッサ８１は、各輸液ポンプ１の動作のログを読み出す。
ステップＳ１２０で、プロセッサ８１は、各輸液ポンプ１の稼働時間を取得する。その後、制御はステップＳ１２４へ進む。
【０１１３】
ステップＳ１２４で、プロセッサ８１は、管理システム１０００内の２以上の輸液ポンプ１を、ステップＳ１２０で取得した各輸液ポンプ１の稼働時間の順序で配列する。
【０１１４】
ステップＳ１３４で、プロセッサ８１は、管理システム１０００内の２以上の輸液ポンプ１をステップＳ１２４で配列した順序で表示部８３に表示する。
【０１１５】
図１６は、表示画面の一例を示す図である。図１６の画面８３０には、管理システム１０００内の２以上の輸液ポンプ１のそれぞれの装置番号が、稼働時間とともに、縦方向に並べられて表示されている。上に位置するものほど稼働時間が短い。プロセッサ８１は、１つの画面において管理システム１０００内のすべての輸液ポンプ１の装置番号を同時に表示できない場合、画面８３０のスクロール表示によってすべての輸液ポンプ１の装置番号を表示してもよい。
【０１１６】
画面８３０では、各輸液ポンプ１の稼働時間を表わす数値の表示は省略されてもよい。そのような場合であっても、ユーザは、管理システム８内の２以上の輸液ポンプ１をどの順序で使用していけばよいかを決めるための情報を画面８３０から取得することができる。
【０１１７】
図１５および図１６の例では、稼働時間が短い輸液ポンプの方が長い輸液ポンプよりも使用を推奨される。したがって、画面８３０の表示は、上方に装置番号を表示された輸液ポンプの方が下方に表示された輸液ポンプよりも使用が推奨されることを意味する。なお、画面８３０において累積駆動時間の表示は省略されてもよい。
【０１１８】
［９．警報を時間換算した、各輸液ポンプの稼働時間の表示：図１７］
図１７は、プロセッサ８１が、各輸液ポンプ１を各輸液ポンプ１の電動モータ２２の駆動時間に従った順序で表示するための処理の変形例のフローチャートである。図１７の処理において、プロセッサ８１は、輸液ポンプ１において検出された警報の回数を時間に換算し、ログにおけるイベントの時刻を用いて取得された稼働時間（電動モータ２２の駆動時間）に換算された時間を加算することによって当該稼働時間を更新し、更新された稼働時間の順序に従って２以上の輸液ポンプ１を表示する。図１７の処理は、たとえば、プロセッサ８１がメモリ８４に格納されるプログラムを実行することによって実現される。以下、図１７の処理について説明する。
【０１１９】
図１５の処理と比較して、図１７の処理は、ステップＳ１２０の後に実行されるステップＳ１２３をさらに含む。
【０１２０】
ステップＳ１２０で各輸液ポンプ１の稼働時間を取得した後、ステップＳ１２３で、プロセッサ８１は、各輸液ポンプ１において検出された警報の数に従った時間をステップＳ１２０の稼働時間に追加する。
【０１２１】
警報の数に従った時間の一例は、重要度Ｂの警報１回あたり「５時間」である。たとえば、ログのイベントに従って輸液ポンプＸと輸液ポンプＹの駆動時間が次のように取得されたとする。
輸液ポンプＸ→２００時間（ログのイベントに従って取得された稼働時間）
輸液ポンプＹ→１５０時間（ログのイベントに従って取得された稼働時間）
この例において、輸液ポンプＸでは重要度Ｂの警報が「５回」検出され、輸液ポンプＹでは重要度Ｂの警報が「２０回」検出されている。警報の数に従った時間を追加されることにより、輸液ポンプＸと輸液ポンプＹのそれぞれの稼働時間は以下のように更新される。
輸液ポンプＸ→225時間（200＋｛5ｘ5｝：重要度Ｂの警報の数に従った時間の追加後）
輸液ポンプＹ→250時間（150＋｛5ｘ20｝：重要度Ｂの警報の数に従った時間の追加後）
そして、ステップＳ１２４で、プロセッサ８１は、ステップＳ１２３で更新された稼働時間の順序に従って、管理システム１０００内の２以上の輸液ポンプ１を配列する。
【０１２２】
ステップＳ１３４にて、プロセッサ８１は、ステップＳ１２４にて配列された順序で、各輸液ポンプ１の装置番号を表示部８３に表示する。このときの表示画面の一例は、図１６の画面８３０と同様の画面に装置番号と稼働時間とを含む。稼働時間の数値の表示は省略されてもよい。
【０１２３】
［１０．稼働時間と警報によるグループ分けの表示（１）：図１８，図１９］
図１８は、プロセッサ８１が、２つ以上の輸液ポンプ１から多くの警報が検出されている輸液ポンプ１を抽出して１つのグループにおいて表示し、残りの輸液ポンプ１を稼働時間に従って分類されたグループにおいて表示するために、実行する処理のフローチャートである。図１８の処理は、たとえば、プロセッサ８１がメモリ８４に格納されるプログラムを実行することによって実現される。以下、図１８の処理について説明する。
【０１２４】
図１８の処理は、図１２の処理と比較して、ステップＳ１２２の代わりに、ステップＳ１２５とステップＳ１２６とを含む。
【０１２５】
より具体的には、ステップＳ１２０で各輸液ポンプ１の駆動時間を取得した後、ステップＳ１２５で、プロセッサ８１は、各輸液ポンプ１のログのうち警報状態を含むイベントを抽出する。
【０１２６】
ステップＳ１２６で、プロセッサ８１は、稼働時間と警報状態のイベントとで管理システム１０００内の輸液ポンプ１をグループ分けする。
【０１２７】
より具体的には、プロセッサ８１は、管理システム１０００内の輸液ポンプ１のうち、ログにおいて警報状態を含むイベントを予め定められた数以上持つ輸液ポンプ１を抽出する。プロセッサ８１は、残りの輸液ポンプ１を稼働時間に従ってグループＩ，ＩＩ，ＩＩＩに分類する。これにより、管理システム１０００内の輸液ポンプ１は、警報が多い１つのグループと稼働時間に従った３つのグループの、合計４つのグループに分けられる。
【０１２８】
ステップＳ１３２で、プロセッサ８１は、ステップＳ１２６におけるグループ分けの結果を表示部８３に表示する。
【０１２９】
図１９は、グループ分けの表示の一例を示す図である。図１９の画面８５０では、輸液ポンプ１が４つのグループＩ，ＩＩ，ＩＩＩ，ＩＶに分けられて表示されている。グループＩＶは、多くの警報を検出した輸液ポンプ１を特定する。グループＩ，ＩＩ，ＩＩＩは、稼働時間に従って輸液ポンプ１を特定する。
【０１３０】
［１１．駆動時間と警報によるグループ分けの表示（２）］
図１８および図１９を参照して説明されたグループ分けにおいて、プロセッサ８１は、警報が検出された回数に代えて、警報が検出された頻度に従って、グループＩＶに分類されるべき輸液ポンプ１を抽出してもよい。
【０１３１】
この場合、プロセッサ８１は、各輸液ポンプ１のログにおいて警報状態のイベントの数を特定する。プロセッサ８１は、また、各輸液ポンプ１のログが対応する期間（最も古いイベントが関連付けられている時刻から最も新しいイベントが関連付けられている時刻までの期間）を特定する。そして、プロセッサ８１は、それぞれの輸液ポンプ１について、警報状態のイベントの数をログが対応する期間で割ることにより、警報状態のイベントの発生頻度を特定する。そして、プロセッサ８１は、警報状態のイベントの発生頻度が予め定められた値以上である輸液ポンプ１を抽出してグループＩＶに分類し、それ以外の輸液ポンプ１を稼働時間に応じてグループＩ〜ＩＩＩのいずれかに分類する。
【０１３２】
［１２．駆動時間と警報によるグループ分けの表示（３）：図２０］
図１８および図１９を参照して説明されたグループ分けにおいて、プロセッサ８１は、警報の重要度に従って、輸液ポンプ１を複数のグループに分類してもよい。図２０は、輸液ポンプ１のグループ分けの表示の他の例を示す図である。
【０１３３】
図２０に示された画面８６０では、輸液ポンプ１（の装置番号）が５つのグループＩ〜Ｖに分類されて表示されている。この例において、プロセッサ８１は、たとえば、ログに重要度Ａの警報状態のイベントを第１の数以上含む輸液ポンプ１をグループＶとして抽出し、ログに重要度Ｂの警報状態のイベントを第２の数以上含む輸液ポンプ１をグループＩＶとして抽出する。そして、プロセッサ８１は、残りの輸液ポンプ１を、稼働時間に従ってグループＩ〜ＩＩＩに分類する。
【０１３４】
そして、プロセッサ８１は、上記のようにグループＩ〜Ｖに分類された輸液ポンプ１（の装置番号）を、画面８６０として示されたように、表示部８３に表示する。
【０１３５】
ある実施の形態では、画面８６０を視認したユーザは、グループＩの輸液ポンプ１から、次に使用する輸液ポンプ１を選択する。ユーザは、グループＩに分類された輸液ポンプ１の数が必要とする輸液ポンプ１の数に満たない場合には、グループＩＩに分類された輸液ポンプ１からも使用する輸液ポンプ１を選択する。ユーザは、グループＩおよびグループＩＩに分類された輸液ポンプ１の数が必要とする輸液ポンプ１の数に満たない場合には、さらに、グループＩＩＩに分類された輸液ポンプ１からも使用する輸液ポンプ１を選択する。
【０１３６】
画面８６０を視認したユーザは、これから使用する輸液ポンプ１を選択するだけでなく、さらに、グループＶに分類された輸液ポンプ１については点検が必要であることを認識し得る。
【０１３７】
［１３．開示の概要］
以上説明された本開示の輸液装置の管理システムは、２以上の輸液装置（輸液ポンプ１）と、当該２以上の輸液装置を管理するための管理装置（管理装置８）とを備える。
【０１３８】
各輸液装置は、輸液動作のために駆動されるように構成された駆動部（電動モータ２２）と、輸液装置のログを記録するように構成された記憶部（不揮発性ＲＡＭ２０１）とを含む。ログは、駆動部が駆動されていることを示す第１の種類のイベント（「通常輸液」を含むイベント）と、駆動部が駆動されていないことを示す第２の種類のイベント（「完了」を含むイベント）とを含む。
【０１３９】
管理装置は、各輸液装置のログにおける第１および第２の種類のイベントが記録された時刻を用いて各輸液装置の駆動部の駆動時間（輸液ポンプ１の稼働時間）を特定し、特定された駆動時間に基づいて２以上の輸液装置を管理するための情報（図２の画面８１０等）を出力するように構成されている管理部（プロセッサ８１）を含む。
【０１４０】
今回開示された実施の形態およびその変形例はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１４１】
１  輸液ポンプ、１ａ  輸液チューブ入口、１ｂ  輸液チューブ出口、２  ポンプ機構、３  液晶表示部、４，８２  操作部、５  インジケータ、６  音発生部、７  電源スイッチ、８  管理装置、９  ネットワーク、１１  ポンプ本体、１２  扉、１３  ヒンジ、１４  扉ロック機構、１４ａ  ドアロックレバー、１４ｂ  フック、２１  フィンガ、２２  電動モータ、２３  押圧板、３１  液晶パネル、４１  開始スイッチ、４２  停止スイッチ、４３  早送りスイッチ、４４  表示切替スイッチ、４５  数値設定アップスイッチ、４６  数値設定ダウンスイッチ、４７  積算量リセットスイッチ、４８  点滴針サイズ選択スイッチ、７１  気泡センサ、７２  閉塞センサ、７３  ドアセンサ、７４  滴下センサ、７５  衝撃センサ、７６  バッテリー、８１  プロセッサ、８３  表示部、８４  メモリ、８４Ａ  ポンプ情報格納部、８５，２０３  通信インターフェース、１１０  前面壁、１１１  チューブ装着ガイド、１１１ａ  上流側ガイド部、１１１ｂ  ポンプフィンガ部、１１１ｃ  下流側ガイド部、２００  制御部、２０１  不揮発性ＲＡＭ、２０２  タイマ、８１０，８２０，８３０，８５０，８６０  画面、１０００  管理システム、Ｔ  輸液チューブ。
【図１】
2018128824.tif 000003
【図２】
2018128824.tif 000004
【図３】
2018128824.tif 000005
【図４】
2018128824.tif 000006
【図５】
2018128824.tif 000007
【図６】
2018128824.tif 000008
【図７】
2018128824.tif 000009
【図８】
2018128824.tif 000010
【図９】
2018128824.tif 000011
【図１０】
2018128824.tif 000012
【図１１】
2018128824.tif 000013
【図１２】
2018128824.tif 000014
【図１３】
2018128824.tif 000015
【図１４】
2018128824.tif 000016
【図１５】
2018128824.tif 000017
【図１６】
2018128824.tif 000018
【図１７】
2018128824.tif 000019
【図１８】
2018128824.tif 000020
【図１９】
2018128824.tif 000021
【図２０】
2018128824.tif 000022